(57)【要約】      （修正有）【課題】省スペースでも蓄積動力の大きな時計用ばねハウジングを提供する。【解決手段】ばねハウジングは、第１ばねハウジングドラム１が、第１ばねコア９を半径方向に離隔して同軸状に包囲し、第１ばねコア９は、内端部が第１ばねコア９に接続され、外端部が第１ばねハウジングドラム１に接続された渦巻状の第１引張りばね１０により包囲され、第１ばねハウジングドラム１には、巻き締め車３が相対回転不能に結合される。第１ばねコア９には、第２ばねハウジングドラム７が相対回転不能に同軸結合され、第２ばねハウジングドラム７は、第２ばねコア１１を半径方向に離隔して同軸状に包囲し、第２ばねコア１１は、内端部が第２ばねコア１１に接続され、外端部が第２ばねハウジングドラム７に接続された渦巻状の第２引張りばね１２に包囲され、第２ばねコア１１には、時計輪列の歯車１７が相対回転不能に同軸配置される。【選択図】図２
2018091838.tif 000002
【特許請求の範囲】
【請求項１】
時計用のばねハウジングであって、回転可能に支持された第１ばねハウジングドラム（１）を備え、
該第１ばねハウジングドラム（１）が、回転可能に支持された第１ばねコア（９）を半径方向に離隔して同軸状に包囲し、前記第１ばねコア（９）が、渦巻状の第１引張りばね（10）により包囲され、
該第１引張りばね（10）は、内端部が前記第１ばねコア（９）に接続され、かつ、外端部が前記第１ばねハウジングドラム（１）に接続され、前記第１ばねハウジングドラム（１）に、歯付き外周部を有する巻き締め車（３）が相対回転不能に結合されているばねハウジングにおいて、前記第１ばねコア（９）には、第２ばねハウジングドラム（７）が相対回転不能に同軸結合され、該第２ばねハウジングドラム（７）が、回転可能に支持された第２ばねコア（11）を半径方向に離隔して同軸状に包囲し、前記第２ばねコア（11）が、渦巻状の第２引張りばね（12）に包囲され、該第２引張りばね（12）は、内端部が前記第２ばねコア（11）に接続され、かつ、外端部が前記第２ばねハウジングドラム（７）に接続され、前記第２ばねコア（11）に、前記時計における輪列に含まれる歯車（17）が相対回転不能に同軸配置されていることを特徴とするばねハウジング。
【請求項２】
請求項１に記載のばねハウジングであって、前記第１ばねハウジングドラム（１）及び／又は前記第２ばねハウジングドラム（７）は、第１及び／又は第２底部（2，8）を有する平皿状に形成されていることを特徴とするばねハウジング。
【請求項３】
請求項１又は２に記載のばねハウジングであって、前記第１ばねコア（９）は、スリーブ状に形成されると共に、前記第２ばねコア（11）における同軸状の支持突部（13）上に回転可能に支持されていることを特徴とするばねハウジング。
【請求項４】
請求項３に記載のばねハウジングであって、前記第２ばねコア（11）における前記支持突部（13）の自由端が、前記第２ばねハウジングドラム（７）における前記スリーブ状延長部（22）から突出すると共に、ラジアル軸受（14）により回転可能に支持されていることを特徴とするばねハウジング。
【請求項５】
請求項４に記載のばねハウジングであって、前記第２ばねハウジングドラム（７）における前記スリーブ状延長部（22）が、前記ラジアル軸受（14）により軸線方向に支持されていることを特徴とするばねハウジング。
【請求項６】
請求項１〜５の何れか一項に記載のばねハウジングであって、前記第１ばねハウジングドラム（１）は同心状のカラー（６）を備え、該カラーが、固定的な車受け（18）において対応する孔（５）内で回転可能に支持されることを特徴とするばねハウジング。
【請求項７】
請求項２を引用する請求項３に記載のばねハウジングであって、前記第２ばねコア（11）が、前記支持突部（13）よりも大径を有し、前記第２ばねハウジングドラム（７）における前記第２底部（８）が、前記支持突部（13）へと繋がる前記第２ばねコア（11）の半径方向移行部（16）上において、軸線方向に支持されていることを特徴とするばねハウジング。
【請求項８】
請求項１〜７の何れか一項に記載のばねハウジングであって、前記第１ばねハウジングドラム（１）における前記第１底部（２）が、前記巻き締め車（３）を指向する側においてステップ状に形成され、半径方向外側のステップと前記巻き締め車（３）との間に、半径方向外方に向けて開放すると共に周方向に延在し、かつ前記車受け（18）の厚さと同じ幅を有するガイド溝（４）が形成され、該ガイド溝（４）内に、車受け孔（19）を有する前記車受け（18）が配置されていることを特徴とするばねハウジング。
【発明の詳細な説明】
【技術分野】
【０００１】
本発明は、時計用ばねハウジングに関し、特に、回転可能に支持された第１ばねハウジングドラムを備え、その第１ばねハウジングドラムは、回転可能に支持された第１ばねコアを半径方向に離隔して同軸状に包囲し、第１ばねコアは、渦巻状の第１引張りばねにより包囲され、その第１引張りばねは、内端部が第１ばねコアに接続され、かつ、外端部が、第１ばねハウジングドラムに接続され、第１ばねハウジングドラムには、歯付き外周部を有する巻き締め車が相対回転不能に結合されているばねハウジングに関する。
【発明の概要】
【発明が解決しようとする課題】
【０００２】
本発明の課題は、上述した形式の時計用ばねハウジングとして、省スペースであっても蓄積動力（パワーリザーブ）の大きなばねハウジングを提供することである。
【課題を解決するための手段】
【０００３】
この課題を解決するため、本発明によれば、前記第１ばねコアに対して第２ばねハウジングドラムが相対回転不能に同軸結合されている。２ばねハウジングドラムは、回転可能に支持された第２ばねコアを半径方向に離隔して同軸状に包囲する。第２ばねコアは、内端部が第２ばねコアに接続され、かつ、外端部が第２ばねハウジングドラムに接続される渦巻状の第２引張りばねに包囲されている。第２ばねコアには、時計における輪列に含まれる歯車が同軸状かつ相対回転不能に配置されている。
【０００４】
２個の引張りばねは、互いに平行に配置されているが、直列接続されている。これにより、ほぼ同じトルクでも、より大きな動力を蓄積することが可能である。
【０００５】
２個の引張りばねを使用すれば、単一の引張りばねのみを使用する場合に比べて、引張りばねの高さ対厚さ比がより有利となる。従って、大きなトルクを生じさせる引張りばねを、より容易に製造することができる。更に、単一の引張りばねのみを使用する場合に比べて、寿命を大幅に延ばすことができる。
【０００６】
第１ばねハウジングドラム及び／又は第２ばねハウジングドラムは、第１及び／又は第２底部を有する平皿状に形成することにより、壁厚が小さくても頑丈な構成とすることができる。
【０００７】
第１ばねコアがスリーブ状に形成されると共に、第２ばねコアにおける同軸の支持突部上に回転可能に支持されていれば、両方のばねハウジングドラムが互いに確実にガイドされた状態で支持され、従ってばねハウジングドラムの傾きを少なくとも実質的に回避することができる。
【０００８】
更に、この構成によれば、ばねハウジングを小型化することも可能となる。
【０００９】
この構成においては、第２ばねコアにおける支持突部の自由端が、第２ばねハウジングドラムにおけるスリーブ状延長部から突出すると共に、ラジアル軸受により回転可能に支持される構成とすることが容易である。
【００１０】
第２ばねハウジングドラムにおけるスリーブ状突起は、同軸状に容易に配置するために、ラジアル軸受により軸線方向に支持される構成とすることができる。
【００１１】
第２ばねハウジングドラムにおけるスリーブ状延長部の内側には、摩擦を低減するための支持ブロックを設け、その支持ブロックにて第２ばねコアの支持突起が回転可能に支持される構成とすることができる。
【００１２】
第１ばねハウジングドラムは、半径方向に位置決め可能とするために、同心状の支持突部を備え、その支持突部は、固定的な輪受けに設けられた支持孔内に回転可能に支持される構成とすることができる。
【００１３】
第２ばねコアは、第１及び第２ばねハウジングドラムを軸線方向に互いに正確に位置決めするために、支持突部よりも大径を有することができる。この場合、第２ばねハウジングドラムにおける第２底部は、支持突部へと繋がる第２ばねコアの半径方向移行部上において、軸線方向に支持される。
【００１４】
第１ばねハウジングドラムにおける第１底部が、巻き締め車を指向する側においてステップ状に形成され、半径方向外側のステップと巻き締め車との間に、半径方向外方に向けて開放すると共に周方向に延在し、かつ車受けの厚さと同じ幅を有するガイド溝が形成され、該ガイド溝内に、車受け孔を有する車受けが配置される構成とすることができる。この場合、第１ばねハウジングドラムは、固定的な輪受けの軸線方向だけでなく半径方向においても容易にガイドされる。
【００１５】
以下、本発明の実施形態を図面に基づいて詳述する。
【図面の簡単な説明】
【００１６】
【図１】時計におけるばねハウジングの平面図である。
【図２】図１のＸ−Ｘ線に沿うばねハウジングの断面図である。
【図３】巻き締め車と歯車との機能（用途）を入れ替えた例を示す、図２と同様な断面図である。
【発明を実施するための形態】
【００１７】
図１及び図２に示す時計用ばねハウジングは、第１ばねハウジングドラム１を備える。ばねハウジングドラム１は、上側に第１底部２を有する。
【００１８】
第１底部２は、ばねハウジングドラム１の内部から離れた側においてステップ状に形成されている。この場合、第１底部２において、内部を指向する側における直径は、内部から離れた側における直径よりも大きく、また内部を指向する側における厚さは、内部から離れた側における厚さよりも小さい。
【００１９】
第１ばねハウジングドラム１において、内部から離れた側の第１底部２上には、第１底部２とほぼ同じ外径を有する巻き締め車３が配置されている。巻き締め車３は、周方向に分布させて配置した複数本のねじ21により、第１底部２と堅固に結合されている。
【００２０】
第１底部２において、より小さな厚さを有する領域と巻き締め車３との間には、環状ガイド溝４が形成されている。
【００２１】
時計における固定的な車受け18には、車受け孔19が設けられている。車受け孔19の直径は、より大きな厚さを有する半径方向内方領域におけるガイド溝４底部20の直径に対応している。即ち、半径方向内方領域は、支持突部23として機能する。
【００２２】
第１ばねハウジングドラム１における第１底部２を巻き締め車３とねじ固定する前に、第１底部２における支持突部23が車受け孔19内に嵌め込まれ、その後に巻き締め車３がねじ21によって第１底部２上にねじ固定される。この場合、第１底部２は、車受け18に当接するため、第１ばねハウジングドラム１の傾きを回避することができる。
【００２３】
巻き締め車３は、その中央部に孔５を有する。孔５内には、第１底部２の環状カラー６が突入している。
【００２４】
第２ばねハウジングドラム７は、第１ばねハウジングドラム１に対して平行に配置されており、第１ばねハウジングドラム１を指向する側に第２底部８を有する。
【００２５】
第２底部８は、同軸状のスリーブ状延長部22を有する。延長部22は、第１ばねハウジングドラム１の内部に突入すると共に、第１ばねコア９にねじ固定されている。
【００２６】
第１ばねハウジングドラム１内には、第１ばねコア９を包囲する渦巻状の第１引張りばね10が配置されている。第１引張りばね10は、外端部が第１ばねハウジングドラム１に接続され、内端部が第１ばねコア９に接続されている。
【００２７】
第２ばねハウジングドラム７の内部には、渦巻状の第２引張りばね12により包囲される第２ばねコア11が同軸状に配置されている。第２引張りばね12は、外端部が第２ばねハウジングドラム７に接続され、内端部が第２ばねコア11に接続されている。
【００２８】
第２ばねコア11は、小径の支持突部13を有する。支持突部13には、第２ばねハウジングドラム７のスリーブ状延長部22が回転可能に支持されている。
【００２９】
支持突起13の自由端は、スリーブ状延長部22から突出し、ラジアル軸受14の支持ブロックにおいて回転可能に支持されている。そのために、支持ブロックは、第１ばねハウジングドラム１のカラー６によって形成されたスリーブ状孔15に堅固に配置されている。
【００３０】
スリーブ状延長部22の端面は、支持ブロックにおいて軸線方向に支持されている。
【００３１】
第２ばねハウジングドラム７の第２底部８は、支持突起13へと繋がる第２ばねコア11の半径方向移行部16上にて軸線方向に支持されている。
【００３２】
第２ばねコア11において、巻き締め車３から離れた側の端部領域には、時計における輪列に含まれる歯車17が相対回転不能に同軸配置されている。
【００３３】
巻き締め車３は、例えば、時計のリューズによって回転可能であり、これにより２個の引張りばね10，12が巻き締められる。
【符号の説明】
【００３４】
１ 第１ばねハウジングドラム
２ 第１底部
３ 巻き締め車
４ ガイド溝
５ 孔
６ カラー
７ 第２ばねハウジングドラム
８ 第２底部
９ 第１ばねコア
10 第１引張りばね
11 第２ばねコア
12 第２引張りばね
13 支持突部
14 ラジアル軸受
15 スリーブ状孔
16 半径方向移行部
17 歯車
18 車受け
19 車受け孔
20 底部
21 ねじ
22 スリーブ状延長部
23 支持突部
【図１】
2018091838.tif 000003
【図２】
2018091838.tif 000004
【図３】
2018091838.tif 000005
【手続補正書】
【提出日】平成30年3月6日(2018.3.6)
【手続補正１】
【補正対象書類名】図面
【補正対象項目名】全図
【補正方法】変更
【補正の内容】
【図１】
2018091838.tif 000006
【図２】
2018091838.tif 000007
【図３】
2018091838.tif 000008
【外国語明細書】
2018091838000001.pdf